(57)【要約】【課題】本発明は、フリッカーを最小化して画質を高めるようにしたプラズマディスプレイ装置及びその駆動方法を提供するためのものである。【解決手段】 本発明は、輝度またはコントラストのうち、少なくとも１つを波形発生部を通じてプラズマディスプレイパネルの電極に供給されるリセットパルスまたはサステインパルスを通じて調節する。【選択図】図１
2007004186.tif 000002
【特許請求の範囲】
【請求項１】
電極を含むプラズマディスプレイパネルと、
遠隔信号を受信して映像調節信号を出力する遠隔信号受信部と、
前記映像調節信号を受信してリセットパルスを変化させるためのタイミング制御信号を出力する制御部と、
前記タイミング制御信号によって前記リセットパルスを前記電極に供給する波形発生部と、
を含むことを特徴とするプラズマディスプレイ装置。
【請求項２】
前記波形発生部は、
互いに異なる２つのサブフィールドの各々に含まれたリセット期間において、互いに異なるリセットパルスを前記電極に供給することを特徴とする、請求項１に記載のプラズマディスプレイ装置。
【請求項３】
前記波形発生部は、
互いに異なる２つのフレームの各々に含まれたｎ番目（ｎは自然数）のサブフィールドのリセット期間において、互いに異なるリセットパルスを前記電極に供給することを特徴とする、請求項１に記載のプラズマディスプレイ装置。
【請求項４】
前記波形発生部は、
互いに異なる２つのサブフィールドの各々に含まれたセットアップ期間において、互いに異なるセットアップパルスを含む前記リセットパルスを前記電極に供給することを特徴とする、請求項１に記載のプラズマディスプレイ装置。
【請求項５】
前記互いに異なる２つのサブフィールドの各々に含まれた前記セットアップ期間に供給される前記セットアップパルスの最高電圧または供給期間の長さのうち、少なくとも１つが互いに異なることを特徴とする、請求項４に記載のプラズマディスプレイ装置。
【請求項６】
前記波形発生部は、
互いに異なる２つのサブフィールドの各々に含まれたセットダウン期間において、互いに異なるセットダウンパルスを含む前記リセットパルスを前記電極に供給することを特徴とする、請求項１に記載のプラズマディスプレイ装置。
【請求項７】
前記互いに異なる２つのサブフィールドの各々に含まれた前記セットダウン期間に供給される前記セットダウンパルスの最低電圧または供給期間の長さのうち、少なくとも１つが互いに異なることを特徴とする、請求項６に記載のプラズマディスプレイ装置。
【請求項８】
前記波形発生部は、
互いに異なる２つのフレームの各々に互いに異なる個数のリセットパルスを前記電極に供給することを特徴とする、請求項１に記載のプラズマディスプレイ装置。
【請求項９】
電極を含むプラズマディスプレイパネルと、
遠隔信号を受信して第１映像調節信号及び第２映像調節信号を出力する遠隔信号受信部と、
前記第１映像調節信号を受信してリセットパルスを変化させるための第１タイミング制御信号を出力するコントラスト制御部と、
前記第２映像調節信号を受信してサステイン期間の長さを変化させるための第２タイミング制御信号を出力する輝度制御部と、
前記第１タイミング制御信号及び前記第２タイミング制御信号によって前記リセットパルス及びサステインパルスを前記電極に供給する波形発生部と、
を含むことを特徴とするプラズマディスプレイ装置。
【請求項１０】
前記波形発生部は、
前記第２タイミング制御信号によって互いに異なる２つのフレームの各々に含まれたｎ番目（ｎは自然数）のサブフィールドのサステイン期間に互いに異なる個数のサステインパルスを前記電極に供給することを特徴とする、請求項９に記載のプラズマディスプレイ装置。
【請求項１１】
前記波形発生部は、
フレームに含まれたｘ個（ｘは自然数）の全サブフィールドのうち、（ｘ−ｙ）個（ｙはｘより小さな自然数）のサブフィールド期間の間に、前記第２タイミング制御信号によって前記電極に前記サステインパルスを供給することを特徴とする、請求項９に記載のプラズマディスプレイ装置。
【請求項１２】
前記波形発生部は、
互いに異なる２つのサブフィールドの各々に含まれたリセット期間において、互いに異なるリセットパルスを前記電極に供給することを特徴とする、請求項９に記載のプラズマディスプレイ装置。
【請求項１３】
前記波形発生部は、
互いに異なる２つのフレームの各々に含まれたｎ番目（ｎは自然数）のサブフィールドのリセット期間に、互いに異なるリセットパルスを前記電極に供給することを特徴とする、請求項９に記載のプラズマディスプレイ装置。
【請求項１４】
前記波形発生部は、
互いに異なる２つのサブフィールドの各々に含まれたセットアップ期間において、互いに異なるセットアップパルスを含む前記リセットパルスを前記電極に供給することを特徴とする請求項９に記載のプラズマディスプレイ装置。
【請求項１５】
前記波形発生部は、
互いに異なる２つのサブフィールドの各々に含まれたセットダウン期間において、互いに異なるセットダウンパルスを含む前記リセットパルスを前記電極に供給することを特徴とする、請求項９に記載のプラズマディスプレイ装置。
【請求項１６】
前記波形発生部は、
互いに異なる２つのフレームの各々に互いに異なる個数のリセットパルスを前記電極に供給することを特徴とする、請求項９に記載のプラズマディスプレイ装置。
【請求項１７】
電極を含むプラズマディスプレイパネルと、
遠隔信号を受信して映像調節信号を出力する遠隔信号受信部と、
前記映像調節信号を受信してサステインパルスを変化させるためのタイミング制御信号を出力する制御部と、
前記タイミング制御信号によって前記サステインパルスを前記電極に供給する波形発生部と、
を含むことを特徴とするプラズマディスプレイ装置。
【請求項１８】
前記タイミング制御信号によって互いに異なる２つのフレームの各々に含まれたｎ番目（ｎは自然数）のサブフィールドのサステイン期間に、互いに異なる個数のサステインパルスを前記電極に供給することを特徴とする、請求項１７に記載のプラズマディスプレイ装置。
【請求項１９】
前記波形発生部は、
前記タイミング制御信号によってフレームに含まれたｘ個（ｘは自然数）の全体サブフィールドのうち、（ｘ−ｙ）個（ｙはｘより小さな自然数）のサブフィールド期間の間に、前記タイミング制御信号によって前記電極に前記サステインパルスを供給することを特徴とする、請求項１７に記載のプラズマディスプレイ装置。
【請求項２０】
電極を含むプラズマディスプレイ装置の駆動方法であって、
遠隔信号を受信してリセットパルスを変化させるための第１タイミング制御信号を出力するステップと、
前記第１タイミング制御信号によって前記リセットパルスを供給するステップと、
前記リセットパルスを前記電極に供給するステップと、
を含むことを特徴とするプラズマディスプレイ装置の駆動方法。
【請求項２１】
遠隔信号を受信してサステイン期間の長さを変化させるための第２タイミング制御信号を出力するステップと、
前記第２タイミング制御信号によってサステインパルスを前記電極に供給するステップと、
を更に含むことを特徴とする請求項２０に記載のプラズマディスプレイ装置の駆動方法。
【請求項２２】
前記第２タイミング制御信号によって互いに異なる２つのフレームの各々に含まれたｎ番目（ｎは自然数）のサブフィールドのサステイン期間に、互いに異なる個数のサステインパルスを前記電極に供給することを特徴とする、請求項２１に記載のプラズマディスプレイ装置の駆動方法。
【請求項２３】
フレームに含まれたｘ個（ｎは自然数）の全サブフィールドのうち、（ｘ−ｙ）個（ｙはｘより小さな自然数）のサブフィールド期間の間に、前記第２タイミング制御信号によって前記電極に前記サステインパルスを供給することを特徴とする、請求項２１に記載のプラズマディスプレイ装置の駆動方法。
【請求項２４】
互いに異なる２つのサブフィールドの各々に含まれたリセット期間において、互いに異なるリセットパルスが前記電極に供給されることを特徴とする、請求項２１に記載のプラズマディスプレイ装置の駆動方法。
【請求項２５】
互いに異なる２つのフレームの各々に含まれたｎ番目（ｎは自然数）のサブフィールドのリセット期間に、互いに異なるリセットパルスが前記電極に供給されることを特徴とする、請求項２１に記載のプラズマディスプレイ装置の駆動方法。
【請求項２６】
互いに異なる２つのサブフィールドの各々に含まれたセットアップ期間において、互いに異なるセットアップパルスを含む前記リセットパルスが前記電極に供給されることを特徴とする、請求項２１に記載のプラズマディスプレイ装置の駆動方法。
【請求項２７】
互いに異なる２つのサブフィールドの各々に含まれたセットダウン期間において、互いに異なるセットダウンパルスを含む前記リセットパルスが前記電極に供給されることを特徴とする、請求項２１に記載のプラズマディスプレイ装置の駆動方法。
【請求項２８】
互いに異なる２つのフレームの各々に互いに異なる個数のリセットパルスが前記電極に供給されることを特徴とする、請求項２１に記載のプラズマディスプレイ装置の駆動方法 。
【発明の詳細な説明】
【技術分野】
【０００１】
本発明は、プラズマディスプレイパネルに関し、特にフリッカーを最小化して画質を高めるようにしたプラズマディスプレイ装置及びその駆動方法に関する。
【背景技術】
【０００２】
一般に、プラズマディスプレイ装置は、複数の電極が形成されたプラズマディスプレイパネルとプラズマディスプレイパネルの電極を駆動させるための駆動部とを含む。
【０００３】
プラズマディスプレイパネル（Plasma Display Panel）の各セル内にはネオン（Ｎｅ）、ヘリウム（Ｈｅ）またはネオン及びヘリウムの混合気体（Ｎｅ＋Ｈｅ）のような主放電気体と少量のキセノンを含有する不活性ガスが充填される。プラズマディスプレイパネルの電極に高周波電圧が供給されれば、セル内に充填された不活性ガスは真空紫外線（Vacuum Ultraviolet rays）を発生させ、隔壁間に形成された蛍光体が発光されて画像が具現される。
【０００４】
プラズマディスプレイ装置の駆動部は、プラズマディスプレイパネルの電極に駆動信号を供給する。駆動信号の供給によってプラズマディスプレイパネルの放電セル内で、リセット放電、アドレス放電及びサステイン放電などが発生する。放電セル内で放電が起こる際、放電セル内に充填されている放電ガスは真空紫外線（Vacuum Ultraviolet rays）を発生させる。真空紫外線は放電セル内に形成された蛍光体を発光させることによって映像が具現される。
【０００５】
プラズマディスプレイ装置は、サブフィールドを組合せて階調を表現する。各サブフィールドは全画面を初期化させるためのリセット期間、放電セルを選択するためのアドレス期間及び階調を具現するためのサステイン期間を含む。
【発明の開示】
【発明が解決しようとする課題】
【０００６】
本発明は輝度またはコントラストの内少なくとも一つをビデオ信号の変換なしに制御するためのプラズマディスプレイ装置及びその駆動方法を提供する。
【課題を解決するための手段】
【０００７】
本発明の実施形態に係るプラズマディスプレイ装置は、電極を含むプラズマディスプレイパネルと、遠隔信号を受信して映像調節信号を出力する遠隔信号受信部と、前記映像調節信号を受信してリセットパルスを変化させるためのタイミング制御信号を出力する制御部と、前記タイミング制御信号によって前記リセットパルスを前記電極に供給する波形発生部と、を含む。
【０００８】
前記波形発生部は、互いに異なる２つのサブフィールドの各々に含まれたリセット期間において、互いに異なるリセットパルスを前記電極に供給することができる。
【０００９】
前記波形発生部は、互いに異なる２つのフレームの各々に含まれたｎ番目のサブフィールドのリセット期間において、互いに異なるリセットパルスを前記電極に供給することができる。
【００１０】
前記波形発生部は、互いに異なる２つのサブフィールドの各々に含まれたセットアップ期間において、互いに異なるセットアップパルスを含む前記リセットパルスを前記電極に供給することができる。
【００１１】
前記互いに異なる２つのサブフィールドの各々に含まれた前記セットアップ期間に供給される前記セットアップパルスの最高電圧または供給期間の長さのうち、少なくとも１つが互いに異なることができる。
【００１２】
前記波形発生部は、互いに異なる２つのサブフィールドの各々に含まれたセットダウン期間において、互いに異なるセットダウンパルスを含む前記リセットパルスを前記電極に供給することができる。
【００１３】
前記互いに異なる２つのサブフィールドの各々に含まれた前記セットダウン期間に供給される前記セットダウンパルスの最低電圧または供給期間の長さのうち、少なくとも１つが互いに異なることができる。
【００１４】
前記波形発生部は、互いに異なる２つのフレームの各々に互いに異なる個数のリセットパルスを前記電極に供給することができる。
【００１５】
本発明の実施形態に係るプラズマディスプレイ装置は、電極を含むプラズマディスプレイパネルと、遠隔信号を受信して第１映像調節信号及び第２映像調節信号を出力する遠隔信号受信部と、前記第１映像調節信号を受信してリセットパルスを変化させるための第１タイミング制御信号を出力するコントラスト制御部と、前記第２映像調節信号を受信してサステイン期間の変化のための第２タイミング制御信号を出力する輝度制御部と、前記第１タイミング制御信号及び前記第２タイミング制御信号によって前記リセットパルス及びサステインパルスを前記電極に供給する波形発生部と、を含む。
【００１６】
前記波形発生部は、前記第２タイミング制御信号によって互いに異なる２つのフレームの各々に含まれたｎ番目のサブフィールドのサステイン期間に互いに異なる個数のサステインパルスを前記電極に供給することができる。
【００１７】
前記波形発生部は、前記第２タイミング制御信号によってフレームに含まれたｘ個（ｎは自然数）の全サブフィールドのうち、（ｘ−ｙ）個（ｙはｘより小さな自然数）のサブフィールド期間の間に、第２タイミング制御信号によって前記電極に前記サステインパルスを供給することができる。
【００１８】
前記波形発生部は、互いに異なる２つのサブフィールドの各々に含まれたリセット期間において、互いに異なるリセットパルスを含む前記駆動信号を前記電極に供給することができる。
【００１９】
前記波形発生部は、互いに異なる２つのフレームの各々に含まれたｎ番目のサブフィールドのリセット期間に、互いに異なるリセットパルスを前記電極に供給することができる。
【００２０】
前記波形発生部は、互いに異なる２つのサブフィールドの各々に含まれたセットアップ期間において、互いに異なるセットアップパルスを含む前記リセットパルスを前記電極に供給することができる。
【００２１】
前記波形発生部は、互いに異なる２つのサブフィールドの各々に含まれたセットダウン期間において、互いに異なるセットダウンパルスを含む前記リセットパルスを前記電極に供給することができる。
【００２２】
前記波形発生部は、互いに異なる２つのフレームの各々に互いに異なる個数のリセットパルスを前記電極に供給することができる。
【００２３】
本発明の実施形態に係るプラズマディスプレイ装置は、電極を含むプラズマディスプレイパネルと、遠隔信号を受信して映像調節信号を出力する遠隔信号受信部と、前記映像調節信号を受信してサステインパルスを変化させるためのタイミング制御信号を出力する制御部と、前記タイミング制御信号によって前記サステインパルスを前記電極に供給する波形発生部と、を含む。
【００２４】
前記タイミング制御信号によって互いに異なる２つのフレームの各々に含まれたｎ番目のサブフィールドのサステイン期間に、互いに異なる個数のサステインパルスを前記電極に供給することができる。
【００２５】
前記波形発生部は、前記タイミング制御信号によってフレームに含まれたｘ個（ｘは自然数）の全体サブフィールドのうち、（ｘ−ｙ）個（ｙはｘより小さな自然数）のサブフィールド期間の間に、前記タイミング制御信号によって前記電極に前記サステインパルスを供給することができる。
【００２６】
本発明の実施形態に係るプラズマディスプレイ装置の駆動方法は、遠隔信号を受信してリセットパルスを変化させるための第１タイミング制御信号を出力するステップと、前記第１タイミング制御信号によって前記リセットパルスを供給するステップと、前記リセットパルスを前記電極に供給するステップと、を含む。
【００２７】
遠隔信号を受信してサステイン期間の変化のための第２タイミング制御信号を出力するステップと、前記第２タイミング制御信号によってサステインパルスを前記電極に供給するステップと、を更に含むことができる。
【００２８】
前記第２タイミング制御信号によって互いに異なる２つのフレームの各々に含まれたｎ番目のサブフィールドのサステイン期間に、互いに異なる個数のサステインパルスを前記電極に供給することができる。
【００２９】
前記第２タイミング制御信号によってフレームに含まれたｘ個の全サブフィールドのうち、（ｘ−ｙ）個（ｙはｘより小さな自然数）のサブフィールド期間の間に、前記電極に前記駆動信号を供給することができる。
【００３０】
互いに異なる２つのサブフィールドの各々に含まれたリセット期間において、互いに異なるリセットパルスが前記電極に供給されることができる。
【００３１】
互いに異なる２つのフレームの各々に含まれたｎ番目のサブフィールドのリセット期間に、互いに異なるリセットパルスが前記電極に供給されることができる。
【００３２】
互いに異なる２つのサブフィールドの各々に含まれたセットアップ期間において、互いに、異なるセットアップパルスを含む前記リセットパルスが前記電極に供給されることができる。
【００３３】
互いに異なる２つのサブフィールドの各々に含まれたセットダウン期間において、互いに、異なるセットダウンパルスを含む前記リセットパルスが前記電極に供給されることができる。
【００３４】
互いに異なる２つのフレームの各々に互いに異なる個数のリセットパルスが前記電極に供給されることができる。
【発明の効果】
【００３５】
本発明は波形発生部を通じて輝度またはコントラストの内少なくとも一つを容易に変換することができる。
【発明を実施するための最良の形態】
【００３６】
以下、本発明に係る具体的な実施形態を添付の図面を参照しつつ説明する。
【００３７】
図１は、本発明の第１実施形態に係るプラズマディスプレイ装置のブロック図である。
図１に示すように、ビデオ信号制御回路部１００、第１逆ガンマ補正部１０２、利得制御部１０４、誤差拡散部１０６、サブフィールドマッピング部１０８、データ整列部１１０、第２逆ガンマ補正部１１２、ＡＰＬ検出部１１４、プラズマディスプレイパネル１１６、遠隔信号受信部１１８、コントラスト制御部１２０、及び波形発生部１２４を含む。
【００３８】
ビデオ信号制御回路部１００は、アナログビデオ信号をクロック信号によってサンプリングしてディジタルビデオ信号に変換する。
【００３９】
第１逆ガンマ補正部１０２は、ビデオ信号制御回路部１００から入力されたディジタルビデオ信号を逆ガンマ補正して映像信号の階調値による輝度値を線形的に変換させる。
【００４０】
利得制御部１０４は、第１逆ガンマ補正部１０２で補正されたビデオデータを有効利得だけ増幅させる。
【００４１】
誤差拡散部１０６は、利得制御部１０４からのデータに対し、誤差成分を隣接放電セルに拡散させることによって、輝度値を微細に調整する。
【００４２】
サブフィールドマッピング部１０８は、誤差拡散部１０６から入力されたデータを予め格納されたサブフィールドにマッピングしてデータ整列部１１０に供給する。
【００４３】
データ整列部１１０は、サブフィールドマッピング部１０８から入力されるビデオデータをデータ駆動ＩＣ（図示していない）に供給する。データ駆動ＩＣは、プラズマディスプレイパネル１１６のデータ電極に接続されており、データ整列部１１０から入力されるデータを１水平ライン分ずつラッチした後、ラッチされたデータを１水平期間単位でデータ電極に供給する。
【００４４】
第２逆ガンマ補正部１１２は、ビデオ信号制御回路部１００から入力されたディジタルビデオ信号を逆ガンマ補正して、映像信号の階調値による輝度値を線形的に変換させる。
【００４５】
ＡＰＬ検出部１１４は、第２逆ガンマ補正部１１２から入力されるデータに対し、フレーム単位で平均輝度、即ち、ＡＰＬ（Average Picture Level）を検出する。
【００４６】
遠隔信号受信部１１８は、遠隔コントローラ１４０またはボタン式スイッチ（図示していない）から送信される遠隔信号を受信し、映像調節信号をコントラスト制御部１２０に供給する。
【００４７】
コントラスト制御部１２０は、映像調節信号を受信してプラズマディスプレイパネル１１６のスキャン電極に供給されるリセットパルスを変化させるためのタイミング制御信号を出力する。
【００４８】
波形発生部１２４は、コントラスト制御部１２０から出力されたタイミング制御信号によってリセットパルスをプラズマディスプレイパネル１１６のスキャン電極に供給する。
【００４９】
本発明の第１実施形態に係るプラズマディスプレイ装置は、コントラストを調節するためにビデオ信号制御回路部１００に入力されたビデオ信号を変化させるのでなく、プラズマディスプレイパネル１１６のスキャン電極に入力されるリセットパルスを調節する。
【００５０】
図２は、本発明の第１実施形態に係るプラズマディスプレイ装置を駆動するための駆動信号の波形図である。図２に示すように、波形発生部１２４は、一番目のサブフィールド（１ＳＦ）のプリリセット期間において、充分な壁電荷の形成のために、漸進的に下降するプリリセット信号（ＰＲＰ）をスキャン電極（Ｙ）に供給する。また、波形発生部１２４は、放電セルの壁電荷状態を初期化するためのリセット信号（ＲＰ）、放電セルを選択するためのスキャン信号（ＳＰ）及び選択された放電セルのサステイン放電のためのサステイン信号（ＳＵＳ）をスキャン電極（Ｙ）に供給する。
【００５１】
波形発生部１２４は、更に、プリリセット信号（ＰＲＰ）に対応して正極性電圧と、バイアス電圧（Ｖｂｉａｓ）と、選択された放電セルのサステイン放電のためのサステイン信号（ＳＵＳ）とをサステイン電極（Ｚ）に供給する。
【００５２】
データ駆動ＩＣは、放電セルの選択のために、スキャン信号（ＳＰ）に対応してデータ信号（ＤＰ）をアドレス電極（Ｘ）に供給する。
【００５３】
波形発生部１２４は、コントラスト制御部１２０から出力されたタイミング制御信号の入力を受けて、互いに異なる２つのサブフィールドの各々に含まれたリセット期間において、互いに異なるリセットパルス（ＲＰ）をスキャン電極（Ｙ）に供給することができる。例えば、波形発生部１２４は、互いに異なる２つのサブフィールドの各々に含まれたセットアップ期間（ＳＵＰ）において、互いに異なるセットアップパルス（ＳＵ）を含むリセットパルス（ＲＰ）をスキャン電極（Ｙ）に供給することができる。図２に示すように、最初のサブフィールド（１ＳＦ）、２番目のサブフィールド（２ＳＦ）〜４番目のサブフィールド（４ＳＦ）、及び８番目のサブフィールド（８ＳＦ）の各々に含まれたリセット期間のリセットパルス（ＲＰ）は互いに異なる。各サブフィールド（１ＳＦ、２ＳＦ、４ＳＦ、８ＳＦ）でのセットアップパルス（ＳＵ）の供給期間（ＳＵＰ）の長さや傾きが異なることができ、セットアップパルス（ＳＵ）の最高電圧が異なることができる。
【００５４】
また、波形発生部１２４は、互いに異なる２つのサブフィールドの各々に含まれたセットダウン期間（ＳＤＰ）において、互いに異なるセットダウンパルス（ＳＤ）を含むリセットパルス（ＲＰ）をスキャン電極（Ｙ）に供給することができる。図２に示すように、最初のサブフィールド（１ＳＦ）、２番目のサブフィールド（２ＳＦ）〜４番目のサブフィールド（４ＳＦ）、及び８番目のサブフィールド（８ＳＦ）の各々に含まれたセットダウンパルス（ＳＤ）の供給期間（ＳＤＰ）や傾きが異なることができ、セットダウンパルス（ＳＤ）の最低電圧が異なることができる。
【００５５】
また、波形発生部１２４は、互いに異なる２つのフレームの各々に含まれたｎ番目のサブフィールドのリセット期間に互いに異なるリセットパルス（ＲＰ）をスキャン電極（Ｙ）に供給することができる。例えば、最初のフレームの２番目のサブフィールドから供給されるリセットパルスと２番目のフレームの２番目のサブフィールドから供給されるリセットパルスは互いに異なることができる。
【００５６】
また、波形発生部１２４は、互いに異なる２つのフレームの各々に互いに異なる個数のリセットパルス（ＲＰ）をスキャン電極に供給することができる。例えば、１つのフレームが１０個のサブフィールドからなる時、１つのフレームの間にスキャン電極（Ｙ）に供給されるリセットパルスの個数は１０個であり、もう１つのフレームの間にスキャン電極（Ｙ）に供給されるリセットパルスの個数は８個でありうる。即ち、最初のサブフィールドのリセット期間において、電極上に壁電荷が十分に形成される場合、他のサブフィールドからリセットパルスを供給しないことが可能である。
【００５７】
図３は、本発明の第２実施形態に係るプラズマディスプレイ装置のブロック図である。図３に示すように、本発明の第２実施形態に係るプラズマディスプレイ装置は、ビデオ信号制御回路部１００、第１逆ガンマ補正部１０２、利得制御部１０４、誤差拡散部１０６、サブフィールドマッピング部１０８、データ整列部１１０、第２逆ガンマ補正部１１２、ＡＰＬ検出部１１４、プラズマディスプレイパネル１１６、遠隔信号受信部１１８、輝度制御部１２２、及び波形発生部１２４を含む。
【００５８】
本発明の第２実施形態に係るプラズマディスプレイ装置のビデオ信号制御回路部１００、第１逆ガンマ補正部１０２、利得制御部１０４、誤差拡散部１０６、サブフィールドマッピング部１０８、データ整列部１１０、第２逆ガンマ補正部１１２及びＡＰＬ検出部１１４は第１実施形態と同一であるので詳細な説明を省略する。
【００５９】
遠隔信号受信部１１８は、遠隔コントローラ１４０またはボタン式スイッチ（図示していない）から送信される遠隔信号を受信し、映像調節信号を輝度制御部１２２に供給する。
【００６０】
輝度制御部１２２は、映像調節信号を受信して、プラズマディスプレイパネル１１６のスキャン電極（Ｙ）及びサステイン電極（Ｚ）にサステインパルスが供給されるサステイン期間の長さを変化させるためのタイミング制御信号を出力する。
【００６１】
波形発生部１２４は、輝度制御部１２０から出力されたタイミング制御信号によってサステインパルスをプラズマディスプレイパネル１１６のスキャン電極（Ｙ）及びサステイン電極（Ｚ）に供給する。
【００６２】
本発明の第２実施形態に係るプラズマディスプレイ装置は、輝度を調節するために、ビデオ信号制御回路部１００に入力されたビデオ信号を変化させるのでなく、サステインパルスがプラズマディスプレイパネル１１６のスキャン電極（Ｙ）及びサステイン電極（Ｚ）に供給されるサステイン期間の長さを調節する。
【００６３】
図４は、本発明の第２実施形態に係るプラズマディスプレイ装置を駆動するための駆動信号の波形図である。図４に示すように、波形発生部１２４は、タイミング制御信号の入力を受けて、互いに異なる２つのフレームの各々に含まれたｎ番目のサブフィールドのサステイン期間に、互いに異なる個数のサステインパルスをスキャン電極（Ｙ）及びサステイン電極（Ｚ）に供給することができる。
例えば、図４に示すように、ｎ番目のフレームの２番目のサブフィールド（２ＳＦ）で供給されるサステインパルスの個数は、ｎ＋１番目のフレームの２番目のサブフィールド（２ＳＦ）で供給されるサステインパルスの個数より小さい。これによって、ｎ＋１番目のフレームの２番目のサブフィールド（２ＳＦ）でのサステイン期間が、ｎ番目のフレームの２番目のサブフィールド（２ＳＦ）でのサステイン期間より長くなり、ｎ＋１番目のフレームでの輝度がｎ番目のフレームでの輝度より大きい。
【００６４】
また、波形発生部１２４は、タイミング制御信号によって、フレームに含まれたｘ個（ｘは自然数）の全サブフィールドのうち、（ｘ−ｙ）個（ｙはｘより小さな自然数）のサブフィールド期間の間に前記電極に前記サステインパルスを供給することができる。例えば、フレームが１０個のサブフィールドからなる場合、特定のサブフィールド期間において、サステインパルスが供給されないことが可能である。これによって、１フレームを構成する各サブフィールドのサステイン期間の長さの合計が、、変わることができ、輝度もまた変わる。
【００６５】
図５は、本発明の第３実施形態に係るプラズマディスプレイ装置のブロック図である。図５に示すように、本発明の第３実施形態に係るプラズマディスプレイ装置は、ビデオ信号制御回路部１００、第１逆ガンマ補正部１０２、利得制御部１０４、誤差拡散部１０６、サブフィールドマッピング部１０８、データ整列部１１０、第２逆ガンマ補正部１１２、ＡＰＬ検出部１１４、プラズマディスプレイパネル１１６、遠隔信号受信部１１８、コントラスト制御部１２０、輝度制御部１２２及び波形発生部１２４を含む。
【００６６】
本発明の第３実施形態は、遠隔信号によって、プラズマディスプレイ装置のコントラストと輝度のうち、少なくとも１つを変化させる。本発明の第３実施形態に係るプラズマディスプレイ装置のビデオ信号制御回路部１００、第１逆ガンマ補正部１０２、利得制御部１０４、誤差拡散部１０６、サブフィールドマッピング部１０８、データ整列部１１０、第２逆ガンマ補正部１１２及びＡＰＬ検出部１１４は、第１実施形態と同一であるので詳細な説明を省略する。
【００６７】
遠隔信号受信部１１８は、遠隔コントローラ１４０またはボタン式スイッチ（図示していない）から送信される遠隔信号を受信し、第１映像調節信号及び第２映像調節信号を出力する。
【００６８】
コントラスト制御部１２０は、遠隔信号受信部１１８から第１映像調節信号を受信して第１タイミング制御信号を出力する。
【００６９】
輝度制御部１２２は、遠隔信号受信部１１８から第２映像調節信号を受信して第２タイミング制御信号を出力する。
【００７０】
波形発生部１２４は、第１タイミング制御信号によってリセットパルスをスキャン電極（Ｙ）に供給し、第２タイミング制御信号によってサステインパルスをスキャン電極（Ｙ）及びサステイン電極（Ｚ）に供給する。
【００７１】
本発明の第３実施形態に係るプラズマディスプレイ装置は、コントラスト及び輝度を調節するために、ビデオ信号制御回路部１００に入力されたビデオ信号を変化させるのでなく、プラズマディスプレイパネル１１６のスキャン電極に入力されるリセットパルスを調節し、サステインパルスがプラズマディスプレイパネル１１６のスキャン電極（Ｙ）及びサステイン電極（Ｚ）に供給されるサステイン期間を調節する。
【００７２】
波形発生部１２４は、第１タイミング制御信号によって、互いに異なる２つのサブフィールドの各々に含まれたリセット期間において、互いに異なるリセットパルス（ＲＰ）をスキャン電極（Ｙ）に供給することができる。これに対しては第１実施形態に詳細に説明したので省略する。
【００７３】
また、波形発生部１２４は、第２タイミング制御信号によって、互いに異なる２つのフレームの各々に含まれたｎ番目のサブフィールドのサステイン期間に互いに異なる個数のサステインパルスをスキャン電極（Ｙ）及びサステイン電極（Ｚ）に供給したり、フレームに含まれたｘ個（ｘは自然数）の全サブフィールドのうち、（ｘ−ｙ）個（ｙはｘより小さな自然数）のサブフィールド期間の間に前記電極に前記サステインパルスを供給することができる。これに対しては第２実施形態で詳細に説明したので省略する。
【００７４】
以上のように、本発明に係るプラズマディスプレイ装置を例示した図面を参照して説明したが、本発明は明細書に開示された実施形態と図面により限るのでなく、技術思想が保護される範囲内で応用されることができる。
【図面の簡単な説明】
【００７５】
【図１】本発明の第１実施形態に係るプラズマディスプレイ装置のブロック図である。
【図２】本発明の第１実施形態に係るプラズマディスプレイ装置を駆動するための駆動信号の波形図である。
【図３】本発明の第２実施形態に係るプラズマディスプレイ装置のブロック図である。
【図４】本発明の第２実施形態に係るプラズマディスプレイ装置を駆動するための駆動信号の波形図である。
【図５】本発明の第３実施形態に係るプラズマディスプレイ装置のブロック図である。
【符号の説明】
【００７６】
１００    ビデオ信号制御回路部
１０２    第１逆ガンマ補正部
１０４    利得制御部
１０６    誤差拡散部
１０８    サブフィールドマッピング部
１１０    データ整列部
１１２    第２逆ガンマ補正部
１１４    ＡＰＬ検出部
１１６    プラズマディスプレイパネル
１１８    遠隔信号受信部
１２０    コントラスト制御部
１２４    波形発生部
【図１】
2007004186.tif 000003
【図２】
2007004186.tif 000004
【図３】
2007004186.tif 000005
【図４】
2007004186.tif 000006
【図５】
2007004186.tif 000007